(57)【要約】【課題】  動画又は静止画の再生時に、関連する静止画又は動画の存在をユーザに知らせる。【解決手段】  磁気テープ１５に動画とその付加情報が記録され、記録媒体１３に静止画とその付加情報が記録される。付加情報は、撮影日を含む。ＣＰＵ５は、記録再生制御部１４により磁気テープ１５から動画を再生するとき、その付加情報も読み込む。ＣＰＵ５は、記録再生制御部１２により、記録媒体１３に記録される静止画の付加情報を読込み、動画の撮影日と同じ撮影日の静止画を検索する。ＣＰＵ５は、再生動画像をＬＣＤ／ＣＶＦ制御部７によりＣＶＦ８又はＬＣＤ９の画面に表示する。同じ撮影日の静止画があるとき、ＣＰＵ５は、ＬＣＤ／ＣＶＦ制御部７によりＣＶＦ８又はＬＣＤ９の画面上に静止画のアイコンを表示する。【選択図】  図１
2006174313.tif 000002
【特許請求の範囲】
【請求項１】
動画付加情報を伴う動画像、並びに、それぞれ静止画付加情報を伴う複数の静止画像を記憶する記憶装置と、
当該動画像を当該記憶装置から再生する動画再生手段と、
当該動画再生手段で再生する当該動画像に付加される当該動画付加情報を読み取る動画付加情報読取り手段と、
当該静止画付加情報を当該記憶装置から読み取る静止画付加情報読取り手段と、
当該動画付加情報読取り手段で読み取られた動画付加情報と、当該静止画付加情報読取り手段で読み取られた静止画付加情報が所定条件下で一致するか否かを判別する判別手段と、
当該判別手段の一致出力に従い、再生中の動画に関連する静止画の存在をユーザに提示する提示手段
とを具備することを特徴とする画像再生装置。
【請求項２】
当該提示手段は、再生中の動画に関連する静止画の存在を示すシンボルを表示する手段であることを特徴とする請求項１に記載の画像再生装置。
【請求項３】
当該提示手段は、
当該動画付加情報読取り手段で読み取られた動画付加情報と当該所定条件下で一致する静止画付加情報が付加された静止画を当該記憶装置から再生する静止画再生手段と、
当該動画再生手段で再生された動画に、当該静止画再生手段で再生された静止画を合成する合成手段
とを具備することを特徴とする請求項１に記載の画像再生装置。
【請求項４】
当該動画付加情報が動画録画日を示す情報を含み、当該静止画付加情報が静止画録画日を示す情報を含み、当該所定条件が、当該動画録画日と当該静止画録画日が所定差以内で一致することであることを特徴とする請求項１乃至３の何れか１項に記載の画像再生装置。
【請求項５】
当該記憶装置が、
当該動画像を記憶する動画記憶媒体と、
当該静止画像を記憶する静止画記憶媒体
とを具備することを特徴とする請求項１乃至４の何れか１項に記載の画像再生装置。
【請求項６】
動画付加情報を伴う動画像、並びに、それぞれ静止画付加情報を伴う複数の静止画像を記憶する記憶装置と、
当該静止画像を当該記憶装置から再生する静止画再生手段と、
当該静止画再生手段で再生する当該静止像に付加される当該静止画付加情報を読み取る静止画付加情報読取り手段と、
当該動画付加情報を当該記憶装置から読み取る動画付加情報読取り手段と、
当該静止画付加情報読取り手段で読み取られた静止画付加情報と、当該動画
付加情報読取り手段で読み取られた動画付加情報が所定条件下で一致するか否かを判別する判別手段と、
当該判別手段の一致出力に従い、再生中の静止画に関連する動画の存在をユーザに提示する提示手段
とを具備することを特徴とする画像再生装置。
【請求項７】
当該提示手段は、再生中の静止画に関連する動画の存在を示すシンボルを表示する手段であることを特徴とする請求項５に記載の画像再生装置。
【請求項８】
当該提示手段は、
当該静止画付加情報読取り手段で読み取られた静止画付加情報と当該所定条件下で一致する動画付加情報が付加された動画を当該記憶装置から再生する動画再生手段と、
当該静止画再生手段で再生された静止画に、当該動画再生手段で再生された動画を合成する合成手段
とを具備することを特徴とする請求項５に記載の画像再生装置。
【請求項９】
当該動画付加情報が動画録画日を示す情報を含み、当該静止画付加情報が静止画録画日を示す情報を含み、当該所定条件が、当該動画録画日と当該静止画録画日が所定差以内で一致することであることを特徴とする請求項５乃至７の何れか１項に記載の画像再生装置。
【請求項１０】
当該記憶装置が、
当該動画像を記憶する動画記憶媒体と、
当該静止画像を記憶する静止画記憶媒体
とを具備することを特徴とする請求項５乃至８の何れか１項に記載の画像再生装置。
【発明の詳細な説明】
【技術分野】
【０００１】
本発明は、画像再生装置に関し、より具体的には、動画と静止画を再生可能な画像再生装置に関する。
【背景技術】
【０００２】
従来、動画像を記録再生する装置、例えばビデオカメラの記録媒体は、磁気テープであったが、最近では、ハードディスク装置、光ディスク、光磁気ディスク又は固体メモリ等も使用される。
【０００３】
また、磁気テープとカード型の固体メモリ（メモリカードと称す）、又は、光ディスクとメモリカードというように、２種類以上の記録媒体を装着可能なビデオカメラもあり、各記録媒体に対してそれぞれ静止画と動画の記録・再生が可能になっている。例えば、動画撮影記録中に静止画撮影し、メモリカードに静止画データを保存可能なビデオカメラが、特許文献１に記載されている。
【０００４】
近年、記録される画像データ等のデータ量は、記録される画像の画質と記録サイズの増大に伴い、日増しに多くなっている。他方、半導体技術の進歩により記録媒体の記憶容量は急速に増大している。例えば、５１２メガバイトや１ギガバイトのメモリカードが一般に販売され、光磁気ディスクでは数十ギガバイト、ハードディスクでは数百ギガバイトの記憶容量のものが安価に購入できるようになってきている。これらの結果、画像記録装置又は画像記録再生装置で、記録可能時間又は記録可能ファイル数も年々増加してきている。
【特許文献１】特開平１１−３０８４８８号公報
【発明の開示】
【発明が解決しようとする課題】
【０００５】
記録媒体に記録される画像数又はそのデータ量が増すほど、所望の画像を検索するのに長い時間を要し、記録媒体から所望の画像を簡易且つ迅速に検索できる手段が望まれる。
【０００６】
そこで、本発明は、動画像の再生時に、当該動画像に関連する静止画像をユーザに提示する画像再生装置を提示することを目的とする。
【０００７】
また、本発明は、静止画像の再生時に、当該静止画像に関連する動画像をユーザに提示する画像再生装置を提示することを目的とする。
【課題を解決するための手段】
【０００８】
本発明に係る画像再生装置は、動画付加情報を伴う動画像、並びに、それぞれ静止画付加情報を伴う複数の静止画像を記憶する記憶装置と、当該動画像を当該記憶装置から再生する動画再生手段と、当該動画再生手段で再生する当該動画像に付加される当該動画付加情報を読み取る動画付加情報読取り手段と、当該静止画付加情報を当該記憶装置から読み取る静止画付加情報読取り手段と、当該動画付加情報読取り手段で読み取られた動画付加情報と、当該静止画付加情報読取り手段で読み取られた静止画付加情報が所定条件下で一致するか否かを判別する判別手段と、当該判別手段の一致出力に従い、再生中の動画に関連する静止画の存在をユーザに提示する提示手段とを具備することを特徴とする。
【０００９】
本発明に係る画像再生装置は、
動画付加情報を伴う動画像、並びに、それぞれ静止画付加情報を伴う複数の静止画像を記憶する記憶装置と、当該静止画像を当該記憶装置から再生する静止画再生手段と、当該静止画再生手段で再生する当該静止像に付加される当該静止画付加情報を読み取る静止画付加情報読取り手段と、当該動画付加情報を当該記憶装置から読み取る動画付加情報読取り手段と、当該静止画付加情報読取り手段で読み取られた静止画付加情報と、当該動画付加情報読取り手段で読み取られた動画付加情報が所定条件下で一致するか否かを判別する判別手段と、当該判別手段の一致出力に従い、再生中の静止画に関連する動画の存在をユーザに提示する提示手段とを具備することを特徴とする。
【発明の効果】
【００１０】
本願発明によれば、再生中の動画と関連する静止画がある場合に、操作者に再生中の動画に関連付けられた静止画があることを容易に認識させることができる。また、静止画の撮影日等の制御データが一致する動画がある場合は、操作者に再生中の静止画に関連する動画があることを容易に認識させることができる。また、再生中の静止画と関連する動画がある場合に、操作者に再生中の静止画に関連する動画があることを容易に認識させることができる。
【発明を実施するための最良の形態】
【００１１】
以下、図面を参照して、本発明の実施例を詳細に説明する。
【実施例１】
【００１２】
図１は、本発明の一実施例であるビデオカメラの概略構成ブロック図である。図１において、１はレンズ、２はレンズ１による光学像を電気画像信号に変換するＣＣＤ撮像素子、３はＣＣＤ撮像素子２から出力されるアナログ画像信号をデジタル信号に変換するＡ／Ｄ変換器、４はメモリ、５はビデオカメラ本体の全てのブロックを制御するＣＰＵ、６は操作部、７はカラービューファインダ（ＣＶＦ）８と液晶表示パネル（ＬＣＤ）９を制御するＬＣＤ／ＣＶＦ制御部、１０は、出力端子等である信号出力部１１に出力するための信号処理部、１２は記録媒体１３に画像を記録再生する記録再生制御部、１４は磁気テープ１５に画像を記録再生する記録再生制御部である。
【００１３】
記録媒体１３は、例えば、半導体メモリ、ハードディスク、フレキシブルディスク、光磁気ディスク、又は書き換え可能光ディスク等からなる。
【００１４】
レンズ１は、被写体の光学像をＣＣＤ撮像素子２の撮像面に結像する。ＣＣＤ撮像素子２は、レンズ１で結像した光学画像を電気信号に変換する。Ａ／Ｄ変換器３は、ＣＣＤ撮像素子２から出力されるアナログ画像信号をデジタル映像データに変換して、ＣＰＵ５に印加する。ＣＰＵ５は、Ａ／Ｄ変換器３からの映像データにガンマ補正及び色バランス調整等の周知のカメラ信号処理を施す。ＣＰＵ５は、Ａ／Ｄ変換器３からの映像データを、信号処理部１０、記録再生制御部１２，１４及び／又はＬＣＤ／ＣＶＦ制御部７に供給し、また、記録再生制御部１２，１４からの再生データを、信号処理部１０及び／又はＬＣＤ／ＣＶＦ制御部７に供給する。ＣＰＵ５はまた、ビデオカメラの全体を制御する。メモリ４には、ＣＰＵ５の必要とする各種データが格納され、また、ＣＰＵ５のワークエリアとして使用される。
【００１５】
操作部６は、ビデオカメラ本体を操作するためのものであり、撮影開始スイッチ、撮影終了スイッチ、記録モードキー、再生モードキー、関連付け設定指示キー等の各種スイッチ・キー群から構成されている。本実施例では、操作部６は、画像サイズ、画質調整及び位置調整などをＣＰＵ５に入力するのに使用される。
【００１６】
ＬＣＤ／ＣＶＦ制御部７は、ＣＶＦ８及びＬＣＤ９の画像表示を制御する。記録再生制御部１４は、磁気テープ１５に対する画像データとその付加情報の記録再生を制御する。記録再生制御回路１２は、記録媒体１３に対する画像データとその付加情報の記録再生を制御する。ＣＰＵ５は、ビデオカメラのシステム各部を制御する中央処理装置である。
【００１７】
本実施例の基本記録動作を説明する。ＣＣＤ撮像素子２は、レンズ１による被写体の光学像を電気画像信号に変換する。Ａ／Ｄ変換器３は、ＣＣＤ撮像素子２から出力されるアナログ画像信号をサンプリングし、デジタル映像データに変換する。ＣＰＵ５は、Ａ／Ｄ変換器３からのデジタル映像データに、色分離、白バランス、ガンマ補正及びアパーチャ補正などのビデオカメラに基本的な処理を施す。ＣＰＵ５は、このように処理したデジタル映像データを記録再生制御部１４に印加し、記録再生制御部１４は、ＣＰＵ５からのデジタル映像データを磁気テープ１５に記録する。
【００１８】
また、磁気テープ１５には、映像データと共に撮影日時も記録される。撮影日時を含むシステムデータは、磁気テープ１５のサブコードセクタ、ビデオセクタ及びオーディオセクタに記録される。図２は、磁気テープ１５の１トラックの構造例を示す。サブコードセクタには、撮影日時が図３に示すパックデータとして記録される。
【００１９】
ＣＰＵ５は、記録先としてユーザが記録媒体１３を指定するとき、Ａ／Ｄ変換器３からの映像データの画像サイズ、画質及び位置等を操作部６で指定される条件で調整し、操作部６で設定される圧縮方法及び圧縮パラメータに従い所定圧縮方式で圧縮して、記録再生制御部１２に印加する。圧縮方式は、例えばＪＰＥＧ（Ｊｏｉｎｔ  Ｐｈｏｔｏｇｒａｐｈｉｃ  Ｅｘｐｅｒｔｓ  Ｇｒｏｕｐ）又はＪＰＥＧ２０００等である。記録媒体１３には、圧縮画像データの付加情報として、カメラを特定する識別情報、画像・音声の記録設定情報、撮影日時、撮影条件（絞り値及びシャッタ速度等）等が記録される。ＣＰＵ５は、これらの付加情報を圧縮画像データと共に記録再生制御部１２に出力する。
【００２０】
記録媒体１３には、電子スチルカメラなどで採用されているＤＣＦ（Ｄｅｓｉｇｎ  ｒｕｌｅ  ｆｏｒ  Ｃａｍｅｒａ  Ｆｉｌｅ  Ｓｙｓｔｅｍ）規格が採用されている。図４は、ＤＣＦ規格に従うデータファイリングシステムのディレクトリとデータファイルの配置例を示す。
【００２１】
記録再生制御部１２は、記録時にはＣＰＵ５からの圧縮画像データとその付加情報を、ＵＤＦ（Ｕｎｉｖｅｒｓａｌ  Ｄｉｓｃ  Ｆｏｒｍａｔ）又はＦＡＴ（Ｆｉｌｅ  Ａｌｌｏｃａｔｉｏｎ  Ｔａｂｌｅ）等のファイルシステム管理のもとに、ファイルとして記録媒体１３に書き込む。
【００２２】
ここで、ファイルシステムとは、個々のファイルを管理するための管理情報とファイルデータからなる構造体系を意味する。ファイルシステムを共通化することによって、異なった記録媒体に対しても、あるいは異なった記録再生装置でも、データを記録再生できる。ＣＰＵ５は、記録再生制御部１２に供給するのと同じデータを、必要に応じて信号処理部１０に供給し、圧縮前の映像データを確認用にＬＣＤ／ＣＶＦ制御部７に供給する。信号処理部１０は、ＣＰＵ５からのデータを出力用に処理して、信号出力部１１に印加する。また、ＬＣＤ／ＣＶＦ制御部７は、ＣＰＵ５からの画像データをＣＶＦ８及び／又はＬＣＤ９に印加する。これにより、ユーザは、磁気テープ１５及び／又は記録媒体１３に記録される画像を、ＣＶＦ８及び／又はＬＣＤ９の画面上で確認できる。
【００２３】
次に、本実施例の再生動作を説明する。磁気テープ１５に記録された画像を再生する場合、記録再生制御部１４は、磁気テープ１５を走行させて記録データを読み取り、再生データをＣＰＵ５に供給する。ＣＰＵ５は、記録再生制御部１４からの再生データから画像データと付加情報に分離し、前者を、信号処理部１０に印加し、後者をＬＣＤ／ＣＶＦ制御部７に印加する。信号処理部１０は、ＣＰＵ５からの画像データをアナログ信号に変換して、信号出力部１１に印加する。また、ＬＣＤ／ＣＶＦ制御部７は、ＣＰＵ５からの画像データをＣＶＦ８及び／又はＬＣＤ９に供給し、ＣＶＦ８及び／又はＬＣＤ９の画面上に画像を表示させる。
【００２４】
記録再生制御部１２は、記録媒体１３に記録されるファイルの内の指定されたファイルを再生し、このファイルに含まれるデータをＣＰＵ５に供給する。ＣＰＵ５は、記録再生制御部１２からのデータから画像情報と付加情報を分離する。記録再生制御部１２からのデータから画像情報は圧縮されているので、ＣＰＵ５は、圧縮画像データを伸長し、復元された画像データを信号処理部１０に印加する。ＣＰＵ５はまた、付加情報をＬＣＤ／ＣＶＦ制御部７に印加する。信号処理部１０は、ＣＰＵ５からの画像データをアナログ信号に変換して、信号出力部１１に印加する。また、ＬＣＤ／ＣＶＦ制御部７は、ＣＰＵ５からの画像データをＣＶＦ８及び／又はＬＣＤ９に供給し、ＣＶＦ８及び／又はＬＣＤ９の画面上に画像を表示させる。
【００２５】
本実施例では、動画像は磁気テープ１５に記録され、静止画像は記録媒体１３に圧縮されて記録される。従って、ユーザが操作部６により動画再生モードを設定すると、ＣＰＵ５は、記録再生制御部１４に指示して磁気テープ１５の記録画像とその付加情報を再生させる。ユーザが操作部６により静止画再生モードを設定すると、ＣＰＵ５は、記録再生制御部１２に指示して記録媒体１３の記録画像とその付加情報を再生させる。勿論、動画再生モードでは、磁気テープ１５の再生、早送り、巻き戻し、早送り再生、巻き戻し再生及び停止が選択可能である。静止画再生モードでは、任意の指定の静止画像データの再生と、複数の静止画像データの順次再生が可能である。
【００２６】
図５に示すフローチャートを参照して、動画再生中に、当該動画に関連する静止画を再生する動作を説明する。
【００２７】
ＣＰＵ５は、記録再生制御部１４により、磁気テープ１５から再生しようとする動画の撮影日時情報を読み出し（Ｓ１）、変数ＴＡＰＥに格納する（Ｓ２）。ＣＰＵ５は、再生しようとする動画と撮影日が同じ静止画を記録媒体１３に記録されている静止画から検索する。
【００２８】
具体的には、ＣＰＵ５は、記録再生制御部１４により記録媒体１３のＤＣＩＭフォルダ下の最初の静止画ファイルの読み出しを開始し（Ｓ３）、この静止画ファイルの撮影日時データを読み出し（Ｓ４）、変数ＳＴＩＬＬを格納する（Ｓ５）。ＣＰＵ５は、変数ＴＡＰＥの撮影日と変数ＳＴＩＬＬの撮影日を比較し、両者が一致しているか否かを判断する（Ｓ６）。変数ＴＡＰＥの撮影日と変数ＳＴＩＬＬの撮影日が異なる場合（Ｓ６）、記録媒体１３に記憶されている次の静止画ファイルがあるかどうかを判断する（Ｓ７）。次の静止画ファイルがあれば、その撮影日時データを変数ＳＴＩＬＬに格納し、変数ＴＡＰＥの撮影日と比較する（Ｓ６）。全ての静止画ファイルの撮影日を調べている場合には（Ｓ７）、動作を終了する。
【００２９】
変数ＴＡＰＥの撮影日と変数ＳＴＩＬＬの撮影日が同じ場合（Ｓ６）、ＣＰＵ５は、ＬＣＤ／ＣＶＦ制御部７に指示して、動画を再生表示するＬＣＤ９の画面上に、図６に示すように静止画アイコンを表示させる（Ｓ８）。ＣＣＰＵ５は更に、動画の撮影日と同じ撮影日の該当静止画ファイル名を変数ＦＩＬＥＮＡＭＥに格納する（Ｓ９）。
【００３０】
このように、図５に示す動作により、磁気テープ１５に記録される動画の再生中に、記録媒体１３に記録されている同じ撮影日の静止画がある場合は、再生される動画に重ねて静止画アイコンを表示することで、関連する静止画の存在をユーザに知らせることができる。
【００３１】
図５に示すステップＳ６で、変数ＴＡＰＥの値と変数ＳＴＩＬＬの撮影日が同じか否かを判定条件としたが、変数ＴＡＰＥの撮影日と変数ＳＴＩＬＬの撮影日の差が任意の所定値以内かどうかを判定条件としても、同様の効果がある。そのような判定条件には、例えば、前後の数日内、同じ週内、同じ月内、同じ年内等がある。
【００３２】
また、図７に示す関連付け再生設定画面で、ユーザが操作部６により合成表示を設定した場合は、ＣＰＵ５は、図５に示す動作により、変数ＦＩＬＥＮＡＭＥに格納されている静止画ファイルを記録再生制御部１２より記録媒体１３から読み込出す。ＣＰＵ５は、記録媒体１３から読み出された静止画ファイルの画像データを、磁気テープ１５からの画像データに合成し、合成画像データを信号処理部１０を介して信号出力部１１に、及び／又は、ＬＣＤ／ＣＶＦ制御部７を介してＣＶＦ８又はＬＣＤ９に出力する。これにより、図８に示すように、再生表示される動画上に重ねて、関連する静止画が再生表示される。
【００３３】
磁気テープ１５に記録される動画の撮影日と同じ撮影日の静止画が記録媒体１３に記録されているとする。このような状況で、操作部６の設定で磁気テープ１５の再生モード、即ち動画再生モードから、記録媒体１３の再生モード、即ち静止画再生モードに移行したとき、図５に示す動作に従い、変数ＦＩＬＥＮＡＭＥに格納されている静止画ファイルを再生すると、磁気テープ１５に記録されている同じ撮影日の動画像が再生される。
【００３４】
次に、図９に示すフローチャートを参照して、静止画を再生中に、関連する動画を併せて再生表示する動作を説明する。
【００３５】
ＣＰＵ５は、記録再生制御部１２を介して記録媒体１３から静止画ファイルの撮影日を読み込み（Ｓ２１）、変数ＳＴＩＬＬに格納する（Ｓ２２）。記録再生制御部１４により、磁気テープ１５を巻き戻す（Ｓ２３）。磁気テープ１５が始端になると（Ｓ２４）、記録再生制御部１４は磁気テープ１５を早送り再生する（Ｓ２５）。磁気テープ１５が始端になるまで（Ｓ２４）、ステップＳ２３の動作を繰り返す。
【００３６】
磁気テープ１５の早送り再生の状態で、記録再生制御部１４は、磁気テープ１５に付加情報として記録されている撮影日情報を磁気テープ１５から読み込む（Ｓ２６）。読込んだ撮影日情報を変数ＴＡＰＥに格納する（Ｓ２７）。
【００３７】
変数ＴＡＰＥの撮影日と変数ＳＴＩＬＬの撮影日が一致しているか否かを判断する（Ｓ２８）。変数ＴＡＰＥの撮影日と変数ＳＴＩＬＬの撮影日が異なる場合（Ｓ２８）、磁気テープ１５が終端になっているかを確認する（Ｓ２９）。磁気テープ１５が終端となっている場合（Ｓ２９）、磁気テープ１５を停止して、動作を終了する。磁気テープ１５が終端となっていない場合（Ｓ２９）、Ｓ２５に戻り、磁気テープ１５の早送り再生を継続する（Ｓ２９）。
【００３８】
Ｓ２８で、変数ＴＡＰＥの撮影日と変数ＳＴＩＬＬの撮影日が同じ場合、ＣＰＵ５は、図８に示す動画アイコンをＬＣＤ９の画面上に表示させる（Ｓ３０）。また、記録再生制御部１４は、磁気テープ１５を停止する（Ｓ３１）。
【００３９】
このように、図９に示す動作により、記録媒体１３から再生する静止画をと同じ撮影日の動画が磁気テープ１５に記録されている場合に、再生表示される静止画に重ねて、図８に示すように、動画アイコンを静止画再生画面上に表示する。
【００４０】
また、図９のステップＳ２６では、変数ＴＡＰＥの撮影日と変数ＳＴＩＬＬの撮影日が同じであることを判定条件としたが、変数ＴＡＰＥの撮影日と変数ＳＴＩＬＬの撮影日の差が任意の所定値以下であることを判定条件としても、同様の効果がある。
【００４１】
また、図７に示す関連付け再生設定画面で、ユーザが操作部６により合成表示を設定した場合は、ＣＰＵ５は、図９に示す動作により、記録再生制御部１４より磁気テープ１５から動画を再生する。ＣＰＵ５は、磁気テープ１５から再生された動画像データを、記録媒体１３からの静止画像データに合成し、合成画像データを信号処理部１０を介して信号出力部１１に、及び／又は、ＬＣＤ／ＣＶＦ制御部７を介してＣＶＦ８又はＬＣＤ９に出力する。これにより、図１０に示すように、再生表示される静止画上に重ねて、関連する動画が再生表示される。
【００４２】
記録媒体１３に記録される静止画像の撮影日と同じ撮影日の動画が磁気テープ１５に記録されている場合で、カード再生モード（静止画再生モード）から、磁気テープ１５の再生モード（動画再生モード）に移行した時には、図９に示す動作により、磁気テープ１５に記録される一連又は複数の動画像の中で、静止画像の撮影日と同じ撮影日の部分から、動画が再生される。即ち、撮影日をキーとして動画を検索し、再生する機能を有する。
【００４３】
以上、説明したように、磁気テープ１５の動画を再生している間に、別の記録媒体から再生中の動画と同じ撮影日の静止画ファイルを検索することにより、撮影日に関連付けた静止画ファイルを容易に検索し、ユーザに提示できる。逆に、静止画ファイルを再生している間に、静止画ファイルファイルと同じ撮影日の動画を磁気テープ１５から検索して再生することにより、磁気テープ１５の記録動画から同じ撮影日の動画をユーザに提示できる。
【実施例２】
【００４４】
図１１は、本発明の第２実施例である電子カメラの概略構成ブロック図を示す。２１はレンズ、２２はレンズ２１による光学像を電気画像信号に変換するＣＣＤ撮像素子、２３はＣＣＤ撮像素子２２から出力されるアナログ信号をデジタル信号に変換するＡ／Ｄ変換器、２４はメモリ、２５は電子カメラ本体の全てのブロックを制御するＣＰＵ、２６は操作部、２７はカラービューファインダ（ＣＶＦ）２８と液晶表示パネル（ＬＣＤ）２９を制御するＬＣＤ／ＣＶＦ制御部、３０は出力端子等である信号出力部３１に出力するための信号処理部、３２は記録媒体３３に画像を記録再生する記録再生制御部である。
【００４５】
レンズ２１は、被写体の光学像をＣＣＤ撮像素子２２の撮像面に結像する。ＣＣＤ撮像素子２２は、レンズ２１からの光学像を電気信号に変換する。Ａ／Ｄ変換器２３は、ＣＣＤ撮像素子２２から出力されるアナログ画像信号をデジタル映像データに変換して、ＣＰＵ２５に印加する。ＣＰＵ２５は、Ａ／Ｄ変換器２３からの映像データにガンマ補正及び色バランス調整等の周知のカメラ信号処理を施す。ＣＰＵ２５は、Ａ／Ｄ変換器２３からの映像データを、信号処理部３０、記録再生制御部３２及び／又はＬＣＤ／ＣＶＦ制御部２７に供給し、また、記録再生制御部３２からの再生データを、信号処理部３０及び／又はＬＣＤ／ＣＶＦ制御部２７に供給する。ＣＰＵ２５はまた、ビデオカメラの全体を制御する。メモリ２４には、ＣＰＵ２５の必要とする各種データが格納され、また、ＣＰＵ２５のワークエリアとして使用される。
【００４６】
操作部２６は、電子カメラ本体を操作するためのものであり、撮影開始スイッチ、撮影終了スイッチ、記録モードキー、再生モードキー、関連付け設定指示キー等の各種スイッチ・キー群から構成されている。本実施例では、操作部２６は、画像サイズ、画質調整及び位置調整などをＣＰＵ２５に入力するのに使用される。
【００４７】
ＬＣＤ／ＣＶＦ制御部２７は、ＣＶＦ２８及びＬＣＤ２９の画像表示を制御する。記録再生制御部３２は、記録媒体３３に対する画像データとその付加データの記録再生を制御する。ＣＰＵ２５は、電子カメラのシステム各部を制御する中央処理装置である。メモリ２４は、ＣＰＵ２５とシステムで必要とする各種データを記憶する。
【００４８】
図１１に示す実施例の画像記録動作を説明する。ＣＣＤ撮像素子２２は、レンズ２２による被写体の光学像を電気画像信号に変換する。Ａ／Ｄ変換器２３は、ＣＣＤ撮像素子２２から出力されるアナログ画像信号をデジタル映像データに変換する。ＣＰＵ２５は、Ａ／Ｄ変換器２３からのデジタル映像データに、色分離、白バランス、ガンマ補正及びアパーチャ補正などの電子カメラに基本的な処理を施す。ＣＰＵ２５はまた、操作部２６で設定された付加処理（画像サイズ、画質及び位置の調整等）を行う。
【００４９】
ＣＰＵ２５は更に、デジタル映像信号に対しては、設定された圧縮方法と圧縮パラメータによって、動画に対してＭＰＥＧ又はＭＪＰＥＧ（Ｍｏｔｉｎ  Ｊｏｉｎｔ  Ｐｈｏｔｏｇｒａｐｈｉｃ  Ｅｘｐｅｒｔｓ  Ｇｒｏｕｐ）の画像圧縮処理を、静止画に対してＪＰＥＧ又はＪＰＥＧ２０００等の画像圧縮処理を行う。ＣＰＵ２５は、画像圧縮で得られた画像圧縮データとその付加情報を記録データとして記録再生制御部３２に供給する。付加情報は、例えば、撮影日時、撮影条件、撮像装置を特定する情報、画像音声などの記録設定情報、撮影環境情報などからなる。図１２は、静止画に対する記録データの構造例を示し、図１３は、動画に対する記録データの構造例を示す。
【００５０】
記録再生制御部３２は、ＣＰＵ２５からの記録データ、即ち、画像圧縮データとその付加情報を記録媒体３３に記録する。図１４は、ＤＣＦ規格に従った、記録媒体３３の動画静止画記録用データファイリングシステムにおけるディレクトリ及びデータファイルの配置例を示す。
【００５１】
記録再生制御部３２は、記録時にはＣＰＵ２５からの記録データをＵＤＦ又はＦＡＴ等のファイルシステム管理のもとに、ファイルとして記録媒体３３に書き込む。この記録データは、必要に応じて信号出力部１１に送られる。更に、この記録データの画像と付加情報は、確認用として、ＬＣＤ／ＣＶＦ制御部２７によりＣＶＦ２８又はＬＣＤ２９の画面上に表示される。
【００５２】
記録媒体３３は、不揮発性固体メモリを内蔵するメモリカード、ハードディスク、書き換え可能光ディスク、フレキシブルディスク、又は光磁気ディスク等からなる。
【００５３】
図１１に示す実施例の再生動作を説明する。記録再生制御部３２は、指定された画像の記録データを記録媒体３３から読み出し、ＣＰＵ２５に供給する。ＣＰＵ２５は、記録再生制御部３２からの供給されるデータを画像圧縮データと付加情報に分離する。そして、ＣＰＵ２５は、分離された画像圧縮データを伸長し、信号処理部３０を介して画像信号として信号出力部３１に供給する。ＣＰＵ２５は分離された付加情報をＬＣＤ／ＣＶＦ制御部２７に印加する。ＬＣＤ／ＣＶＦ制御部２７は、ＣＰＵ２５からの付加情報をＣＶＦ２８及び／又はＬＣＤ２９に印加し、その内容を表示させる。
【００５４】
図１５は、図１１に示す実施例の動画再生時の動作フローチャートを示す。図１５に示すフローチャートを参照して、本実施例の動画再生時の動作を説明する。
【００５５】
ＣＰＵ２５は、記録再生制御部３２に指示して、記録媒体３３から動画ファイルの撮影日を読み出させ（Ｓ４１）、変数ＭＯＶＩＥに格納する（Ｓ４２）。ＣＰＵ２５は、再生しようとする動画と撮影日が同じ静止画を記録媒体３３に記録されている静止画から検索する。
【００５６】
具体的には、ＣＰＵ２５は、記録再生制御部３２により記録媒体３３のＤＣＩＭフォルダ下の静止画ファイルの読み出しを開始する（Ｓ４３）。記録再生制御部３２により静止画ファイルの撮影日データを読み出し（Ｓ４４）、変数ＳＴＩＬＬに格納する（Ｓ４５）。ＣＰＵ２５は、変数ＭＯＶＩＥの撮影日と変数ＳＴＩＬＬの撮影日とを比較し、変数ＭＯＶＩＥの撮影日と変数ＳＴＩＬＬの撮影日が一致しているか否かを判断する（Ｓ４６）。変数ＭＯＶＩＥの撮影日と変数ＳＴＩＬＬの撮影日が異なる場合（Ｓ４６）、記録媒体３３に記憶されている次の静止画ファイルがあるかどうかを判断する（Ｓ４７）。次の静止画ファイルがあれば、その撮影日データを変数ＳＴＩＬＬに格納し、変数ＭＯＶＩＥの撮影日と比較する（Ｓ４６）。全ての静止画ファイルの撮影日を調べている場合には（Ｓ４７）、動作を終了する。
【００５７】
変数ＭＯＶＩＥの撮影日と変数ＳＴＩＬＬの撮影日が同じ場合（Ｓ４６）、図６に示すように、動画再生画面上に静止画アイコンを表示する（Ｓ４８）。また、該当した静止画ファイル名を変数ＦＩＬＥＮＡＭＥに格納して、動作を終了する（Ｓ４９）。
【００５８】
このように、図１５に示す動作により、記録媒体３３の記録される動画の再生中に、記録媒体３３に記録されている同じ撮影日の静止画がある場合は、再生される動画に重ねて静止画アイコンを表示することで、関連する静止画の存在をユーザに知らせることができる。
【００５９】
また、図１５に示すステップＳ４６で、変数ＭＯＶＩＥの撮影日と変数ＳＴＩＬＬの撮影日が同じか否かを判定条件としたが、変数ＭＯＶＩＥの撮影日と変数ＳＴＩＬＬの撮影日の差が任意の所定値以下かどうかを判定条件としても、同様の効果がある。
【００６０】
また、図７に示す関連付け再生設定画面で、ユーザが操作部２６により合成表示を設定した場合、ＣＰＵ２５は、図１５に示す動作により、変数ＦＩＬＥＮＡＭＥに格納されている静止画ファイルを記録再生制御部３２より記録媒体３３から読み出す。ＣＰＵ２５は、記録媒体３３から読み出した静止画を動画ファイルからの画像データに合成し、合成画像データを信号処理部３０を介して信号出力部３１に、及び／又は、ＬＣＤ／ＣＶＦ制御部２７を介してＣＶＦ２８又はＬＣＤ２９に出力する。これにより、図１６に示すように、再生表示される動画上に重ねて、同じ撮影日又は近似した撮影日の静止画が合成表示される。
【００６１】
図１７は、図１１に示す実施例で、静止画を再生中に関連する動画を検索し、合成表示する動作のフローチャートを示す。
【００６２】
ＣＰＵ２５は、記録再生制御部３２を介して記録媒体３３から静止画ファイルの撮影日を読み込み（Ｓ６１）、変数ＳＴＩＬＬに格納する（Ｓ６２）。ＣＰＵ２５は、次に、記録再生制御部３２を介して、記録媒体３３のＤＣＩＭフォルダ下の動画ファイルの読み込みを開始し（Ｓ６３）、動画ファイルの撮影日データの読み込み（Ｓ６４）、変数ＭＯＶＩＥに動画ファイルの撮影日を格納する（Ｓ６５）。
【００６３】
変数ＭＯＶＩＥの撮影日と変数ＳＴＩＬＬの撮影日が一致しているか否かを判断する（Ｓ６６）。変数ＭＯＶＩＥの撮影日と変数ＳＴＩＬＬの撮影日が異なる場合（Ｓ６６）、記録媒体３３に記憶されている全動画ファイルを調べ終えるまで（Ｓ６７）、ステップＳ６４，Ｓ６５，Ｓ６６を繰り返す。
【００６４】
ステップＳ６６で、変数ＭＯＶＩＥの撮影日と変数ＳＴＩＬＬの撮影日が等しい場合、ＣＰＵ２５は、図８に示すように、静止画の再生画面上に動画アイコンを表示する（Ｓ６８）。また、同じ撮影日の動画ファイル名を変数ＦＩＬＥＮＡＭＥに格納して、動作を終了する（Ｓ６９）。
【００６５】
このように、図１７に示す動作により、同じ撮影日の静止画と動画が記録媒体３３に記録されている場合に、記録媒体３３の静止画ファイル再生中に、同じ撮影日の動画の存在を、図８に示すような動画アイコン表示でユーザに知らせることができる。
【００６６】
また、図１７のステップＳ６６では、変数ＭＯＶＩＥの撮影日と変数ＳＴＩＬＬの撮影日が同じであることを判定条件としたが、変数ＭＯＶＩＥの撮影日と変数ＳＴＩＬＬの撮影日の差が任意の所定値以下であることを判定条件としても、同様の効果がある。
【００６７】
また、図７に示す関連付け再生設定画面が、ユーザが操作部２６により合成表示を設定した場合、ＣＰＵ２５は、図１７に示す動作により、変数ＦＩＬＥＮＡＭＥに格納されている動画ファイルを記録再生制御部３２により記録媒体３３から再生する。ＣＰＵ２５は、再生された動画ファイルの画像を別に再生している静止画に合成し、合成画像データを信号処理部３０を介して信号出力部３１に、及び／又はＬＣＤ／ＣＶＦ制御部２７を介してＣＶＦ２８又はＬＣＤ２９に出力する。これにより、図１０に示すように、再生表示される静止画上に重ねて、関連する動画が再生表示される。
【００６８】
以上、説明したように、上述した実施例では、動画を再生している間に、同じ撮影日の静止画の存在をアイコンにより又は再生画像でユーザに知らせることができる。また、逆に、静止画を再生している間に、同じ撮影日の動画の存在をアイコンにより又は再生画像でユーザに知らせることができる。
【図面の簡単な説明】
【００６９】
【図１】実施例１のビデオカメラの概略構成ブロック図である。
【図２】磁気テープ上のトラックパターンとセクタ配置例である。
【図３】実施例１の民生用デジタルＶＴＲのフォーマットにてパックヘッダとデータを示すイメージ図である。
【図４】記録媒体１３のＤＣＦ規格に従ったディレクトリ及びデータファイルの配置を示す模式図である。
【図５】実施例１の動作を示すフローチャートである。
【図６】動画の再生画面上に、同じ撮影日の静止画の存在を示す静止画アイコンを表示する画面例である。
【図７】関連付け再生設定画面例である。
【図８】静止画の再生画面上に、同じ撮影日の動画の存在を示す動画アイコンを表示する画面例である。
【図９】実施例１の別の動作を示すフローチャートである。
【図１０】静止画の再生画面上に、関連する動画を再生表示する画面例である。
【図１１】実施例２の電子カメラの概略構成ブロック図である。
【図１２】静止画ファイル内の画像データと付加データの構成を示す模式図図である。
【図１３】動画ファイル内の画像データと付加データの構成を示す模式図である。
【図１４】記録媒体３３のＤＣＦ規格に従ったディレクトリ及びデータファイルの配置を示す模式図である。
【図１５】実施例２の動作を示すフローチャートである。
【図１６】動画再生中に、同じ撮影日の静止画を合成表示する画面例である。
【図１７】実施例２の別の動作を示すフローチャートである。
【符号の説明】
【００７０】
１、２１：レンズ
２、２２：ＣＣＤ撮像素子
３、２３：カメラ信号処理部
４、２４：メモリ
５、２５：ＣＰＵ
６、２６：操作部
７、２７：ＬＣＤ／ＣＶＦ制御部
８、２７：ＣＶＦ
９、２９：ＬＣＤ
１０、３０：信号処理部
１１、３１：信号出力部
１２、１４、３２：記録・再生制御部
１３、３３：記録媒体
１５：磁気テープ
【図１】
2006174313.tif 000003
【図２】
2006174313.tif 000004
【図３】
2006174313.tif 000005
【図４】
2006174313.tif 000006
【図５】
2006174313.tif 000007
【図６】
2006174313.tif 000008
【図７】
2006174313.tif 000009
【図８】
2006174313.tif 000010
【図９】
2006174313.tif 000011
【図１０】
2006174313.tif 000012
【図１１】
2006174313.tif 000013
【図１２】
2006174313.tif 000014
【図１３】
2006174313.tif 000015
【図１４】
2006174313.tif 000016
【図１５】
2006174313.tif 000017
【図１６】
2006174313.tif 000018
【図１７】
2006174313.tif 000019